(57)【要約】【課題】  販売する商品を包装する包装材であって、特別なバーコードシールを使用することなく、包装した商品のほぼ全体が見えるようにした包装材の提供。【解決手段】包装シート４は透明又は半透明な材質から成り、その一部にバーコード５を形成し、該バーコード５はレーザー光線を照射することで表面を変色させて印字している。【選択図】    図１
2007145374.tif 000002
【特許請求の範囲】
【請求項１】
販売する商品を包装する包装材において、該包装材は透明又は半透明な材質から成り、その一部にバーコードを有し、該バーコードはレーザー光線を照射することで表面を変色させて形成したことを特徴とするバーコードを表示した包装材。
【請求項２】
販売する商品を包装する包装材において、該包装材は透明又は半透明な材質から成り、その一部にバーコード及びその他の文字、図形、模様などを有し、該バーコードや文字、図形、模様などはレーザー光線を照射することで表面を変色させて形成したことを特徴とするバーコードを表示した包装材。
【請求項３】
上記包装材を薄い包装用シートとした請求項1、又は請求項2記載のバーコードを表示した包装材。
【請求項４】
包装材にて包装した商品において、該包装材は透明又は半透明な材質から成り、その一部にバーコードを有し、該バーコードはレーザー光線を照射することで表面を変色させて形成したもので、包装された商品はバーコードが形成される部分以外は包装した状態で外から見える状態としたことを特徴とする包装材にて包装した商品。
【請求項５】
包装材にて包装した商品において、該包装材は透明又は半透明な材質から成り、その一部にバーコードや文字、図形、模様を有し、該バーコードや文字、図形、模様などはレーザー光線を照射することで表面を変色させて形成したもので、包装された商品はバーコードが形成される部分以外は包装した状態で外から見える状態としたことを特徴とする包装材にて包装した商品。
【発明の詳細な説明】
【技術分野】
【０００１】
本発明は表面をレーザー光線にて変色させることで、バーコードを形成した包装材及び該包装材を用いて包装した物品(商品)に関するものである。
【背景技術】
【０００２】
物品の表面を装飾する手段として昔らか印刷方法が採用され、今日では印刷技術が進歩して非常にカラフルな図形や模様の印刷が可能と成っている。これは販売する商品を包装するためのシートの場合も同じであり、販売される商品は何らかの形で包装され、該包装シートの表面には製造・販売する者の名称や商品の商標などが表示されている。
【０００３】
そして、近年では各商品を管理する為に、又販売状況を即座に把握できるように包装紙や包装容器にはバーコードを表示したシートが貼着されている。これら包装シートや包装紙、及びバーコードを表示したシートは印刷にて製作さられており、該バーコードは黒色をした複数本のバーを長方形の白い紙に配列して形成したものである。しかしバーコードシートを貼り付けることで、バーコードシートの部分は商品が隠れてしまう。
【０００４】
又、印刷の不備によりバーが不鮮明な場合、他の物と擦れてバーコードの一部が不鮮明に成った場合には、該バーコードを正確に読取ることが出来ない。図３は「おにぎり１」を販売する場合の包装用シート２とバーコードシール３を表している。「おにぎり１」は一般に海苔が巻かれて表面は黒くなっている。この、海苔巻きの「おにぎり１」を透明な包装用シート２にて包装し、その上にバーコードシール３が貼着されている。
【０００５】
図４は「おにぎり１」を包装した包装用シート２の表面にバーコードシール3を貼り付けた場合を表しているが、このように包装用シート2の他に商品管理の為のバーコードシール3を別に製作しなくてはならない。しかも、包装後に該バーコードシール3を表面に貼着しなくてはならない。そして、バーコードシート3が貼着される部分は「おにぎり１」が隠れて、商品の外観イメージが低下してしまう。
【０００６】
このような問題は何も「おにぎり１」に限るものでなく、一般的な他の商品を包装する場合にも発生する問題である。例えば、デザインを重視した衣類などにバーコードシール３が貼着されていることで、該商品を購入する際にバーコードシール３が邪魔になる場合も多い。
【０００７】
上記バーコードシール３を印刷することなくレーザー光線を照射することで形成することは可能であり、この方法は本発明の趣旨でもある。特開２００２−２１１１号に係る「印字方法」は、不可逆性の示温材料をシート状の基材に付着させて印字シートを形成し、レーザー源からのレーザー光を照射して示温材料は局部的に加熱されて発色し、任意の表示内容を印字シート上に印字することが出来る。
【０００８】
しかし、この方法にて形成されるバーコードシール３の場合も、印字する手段が印刷とは異なるだけで、包装用シートに貼って使われる。そして、印刷したバーコードシール3の場合と同じく、この部分では商品が隠れてしまう。
【特許文献１】特開２００２−２１１１号に係る「印字方法」
【発明の開示】
【発明が解決しようとする課題】
【０００９】
このように、従来のバーコードシールには上記のごとき問題がある。本発明が解決しようとする課題はこの問題点であり、特別なバーコードシールを使用することなく、バーコードを形成した透明又は半透明な包装材を提供する。ここで、包装材とは、1枚の包装用シートに限らず、袋や箱として構成したものも対象とする。
【課題を解決するための手段】
【００１０】
本発明に係る包装材は透明又は半透明であって、レーザー光線が当ることで変色可能な材質で構成している。具体的な材質は限定しないが、セロファンやビニロンが適している。この包装材の適当な部分にレーザー光線を照射することで任意のバーコードを形成することが出来る。レーザー装置はコンピュータ制御される為に、各種バーコードを簡単に製作可能である。
【００１１】
上記レーザー光線を照射することで透明又は半透明のセロファンやビニロンなどは白く変色し、被包装材の色彩にてバーコードが形成される。ここで、包装材は薄くて商品を包むことが出来るシートの場合に限らず、比較的厚くて箱体として構成することが可能な包装のシートも対象とし、包装用袋として構成することもある。
【発明の効果】
【００１２】
本発明に係る包装材はそれ自体にバーコードが形成されている為に、従来のようなバーコードシールを特別に製作する必要はない。そして、商品を包装することでバーコードが備わる為に、バーコードシールが要らなくなるのみならず、貼着する作業も不要となる。また、本発明の包装材は透明又は半透明であるために、包装される商品が隠れて見えない部分がなく、バーコードを形成するための僅かな部分だけが遮られるに過ぎないために、包装された商品のイメージは向上する。
【００１３】
そして、バーコードはレーザー光線を照射して形成される為に、他の物と擦れても消えることはなく、従ってバーコードの読み取りに問題が起きることもない。さらに、レーザー光線を照射することでバーコードを印字する為に、対象となる包装材の形態が如何様であっても問題なく、僅かな量の包装材への印字であっても安く製作できる。
【実施例】
【００１４】
図１は本発明に係る包装用シート4を用いて「おにぎり１」を包装する場合を示している。同図に示す本発明の包装用シート4には既にバーコード5が形成されており、「おにぎり１」を包装するだけで必然的にバーコード５が備わってしまう。従来のように、特別に製作したバーコードシール3を別に貼着する必要がない。
【００１５】
同図に示す包装用シート４は正方形をしているがその形状は限定せず、又、同図の「おにぎり１」の大きさに対しては、より大きな包装用シート4が実際には必要である。そして、包装用シート４に形成されるバーコード５は、印刷ではなくレーザー光線を照射して印字される。すなわち、レーザー光線を照射することで、透明又は半透明なシートが変色して所定のバーコード5が形成される。
【００１６】
レーザー光線はビーム径を絞り、照射方向をコントロールして所定のバーコードを印字することが出来、その為にレーザー装置には適切な光束制御系が組み合わされている。ところで、本発明の包装用シート4の材質としては。一般にセロファンやビニロンが使用され、該セロファンやビニロンにレーザー光線を照射して印字すると、白色となってバーコード5が表示される。実際には、白色に変色しない透明な部分がバーコード５として機能する。
【００１７】
上記「おにぎり１」は海苔が巻かれて表面は黒くなり、その為に透明な包装用シート4にて包装する場合、白色に変色した部分以外は遮られずに海苔の黒色が透けて見え、黒色のバーコード５が形成される。勿論、バーコード5の色彩は限定されず、包装される被包装材の色に左右され、被包装材が茶色であるならば茶のバーコード５となる。又、緑色の被包装材であれば緑のバーコード５として形成される。
【００１８】
本発明の包装用シート4は透明である為に、海苔巻きおにぎり1の外観を損なうことなく包装することが出来、僅かに遮る部分はバーコード5が形成される領域に過ぎない。図2は化粧ボトル6を収容した包装容器７を表している具体例である。該包装容器７は透明なシートを用いて製作され、収容している化粧用ボトル６は外から見ることが出来る。
【００１９】
そして、該包装容器７の下側表面にはバーコード5が印字されて形成している。勿論、該バーコード5も前記実施例の場合と同じくレーザー光線を照射して形成される。従って、商品となる化粧用ボトル６は遮られるものはなく、ほぼ全体が包装容器7に収容されている状態で見ることが出来る。ただし、該バーコード５は海苔巻きしたおにぎり１の黒色とは異なり、化粧用ボトル６のカラーにてバーコード５が形成される。
【００２０】
ところで、本発明の包装用シート４、及び包装容器７にはバーコードが印字されるが、その他には必要に応じて文字や図形、記号などを印字することは自由である。レーザー光線を照射して透明又は半透明なシートを白色に変色させることで所定のバーコード５が形成される。
【図面の簡単な説明】
【００２１】
【図１】本発明の包装用シートにて海苔巻きした「おにぎり」を包装する場合。
【図２】本発明の包装容器内に化粧ボトルを収容した場合。
【図３】従来の包装用シートにて「おにぎり」を包装する場合。
【図４】包装された従来の「おにぎり」。
【符号の説明】
【００２２】
１  おにぎり
２  包装用シート
３  バーコードシール
４  包装用シート
５  バーコード
６  化粧ボトル
７  包装容器
【図１】
2007145374.tif 000003
【図２】
2007145374.tif 000004
【図３】
2007145374.tif 000005
【図４】
2007145374.tif 000006